(57)【要約】      （修正有）【課題】極めて簡単な装置で、浴槽内に沈めて浴湯の温度で効果的にラジウムを発生させ、ラジウム温泉の効能を発現しうるラジウム温泉効能化器具を提供する。【解決手段】通水し得る容器内に、微量のラジウムを含む風化した粒状花崗岩を充填し、これを浴湯に沈めることによって、浴湯をラジウム温泉用にする。【選択図】図３
0003134615.tif 000002
【実用新案登録請求の範囲】
【請求項１】
通水し得る容器内に、微量のラジウムを含む風化した粒状花崗岩を充填することを特徴とするラジウム温泉効能化器具。
【請求項２】
筒状熱可塑性樹脂の表裏面に、ステンレス製の網を溶着し、内部に前記微量のラジウムを含む風化した粒状花崗岩を充填し、前記筒状熱可塑性樹脂の外周にリング状ゴムを嵌着した請求項１記載の器具。
【請求項３】
前記ステンレス製の網は、５０〜２００メッシュの網目を有し、前記風化した粒状花崗岩は、これより大きな粒度を有する請求項１記載の器具。
【考案の詳細な説明】
【技術分野】
【０００１】
本考案は、浴湯をラジウム温泉化する器具に係り、詳記すれば、一般家庭の浴槽に沈めるだけで、ラジウム温泉様効能が得られるラジウム温泉効能化器具に関する。
【背景技術】
【０００２】
従来から、ラジウム温泉は、神経痛／筋肉痛／関節痛／五十肩／運動麻痺／関節のこわばり／うちみ／くじき／慢性消化器病／痔疾／冷え性／病後回復期／疲労回復／健康増進／きりきず／やけど／慢性皮膚病／虚弱児童／慢性婦人病／慢性便秘等の種々の疾病に対する効能があると言われている。
【０００３】
このようなラジウム温泉の効能を一般家庭でも得られるようにした装置としては、例えば特許文献１に記載のイオン温泉生成装置が知られている。
【特許文献１】特開昭５６−７６９６１号
【考案の開示】
【考案が解決しようとする課題】
【０００４】
しかしながら、上記装置は、空気をイオン化するためのカプセルルーム、そのためのダクト、送湯管などを設置する必要があったので、装置が極めて大型化し、そのため極めて高価なものとなる欠点があった。
【０００５】
本考案は、極めて簡単な装置で、浴槽内に沈めて浴湯の温度で効果的にラジウムを発生させ、ラジウム温泉の効能を発現しうるラジウム温泉効能化装置を提供することを目的とする。
【課題を解決するための手段】
【０００６】
上記目的を達成するため本考案者は、鋭意研究の結果、ラジウムを含む風化した粒状花崗岩を浴槽内に沈めることによって、浴湯で効果的にラジウムを発生させることを見出し、本考案に到達した。
【０００７】
即ち本考案は、通水し得る容器内に、微量のラジウムを含む風化した粒状花崗岩を充填することを特徴とする。
筒状熱可塑性樹脂の表裏面に、ステンレス製の網を溶着し、内部に前記微量のラジウムを含む風化した粒状花崗岩を充填し、前記筒状熱可塑性樹脂の外周にリング状ゴムを嵌着するように構成するのが好ましい（請求項２）。
前記ステンレス製の網は、５０〜２００メッシュの網目を有し、前記風化した粒状花崗岩は、これより大きな粒度を有するのが好ましい（請求項３）。
【考案の効果】
【０００８】
本考案によれば、極めて簡単で安価な装置によって、家庭の浴槽をラジウム温泉と同じような効能を付与させることができるという絶大な効果を奏する。
【考案を実施するための最良の形態】
【０００９】
次に、本考案の実施の形態を図面に基づいて説明する。
【００１０】
本考案のラジウム温泉効能化器具は、以下のようにして製造することができる。
【００１１】
図１に示すように、熱可塑性樹脂（例えばポリ塩化ビニル樹脂）から、短円筒形に形成した枠体（高さ１７ｍｍ、厚さ８ｍｍ、直径３０ｃｍ）１に、ステンレスの網２を固定する。固定は、１００メッシュのステンレスの網の外周を加熱すれば、ポリ塩化ビニル樹脂が溶けて容易に溶着固定できる。
ステンレスの網２は、５０〜２００メッシュの網目であるのが好ましく、風化した花崗岩４は、この網目を通過しない程度の大きさの粒度のものを使用する。枠体の大きさは、高さ１０〜２０ｍｍ、厚さ（幅）５〜１０ｍｍ、直径２０〜４０ｃｍであるのが好ましい。
【００１２】
上記のようにして形成した皿状容器にラジウムを含む風化した粒状花崗岩４を充填し、前記と同様にして１０メッシュのステンレスの網２´を溶着固定し、表裏面にステンレスの網２，２´を固定した円盤状に形成する。それから図２に示すように、断面コ字形のリング状縁ゴム３を、円盤状の外周に嵌合して、図３に示すように、外周縁部を縁ゴム３で覆った円盤状ラジウム温泉効能化器具が得られる。このように縁ゴム３で覆うことにより、浴槽内で滑り難くなるので、安全性が向上する。
【００１３】
本考案に使用するラジウムを含む風化した花崗岩としては、海底火山で生成されたものが、太平洋プレートで陸地化してから６００万年以上経過したものを使用することができる。この風化した花崗岩は、石英、長石、雲母が大豆粒以下に壊れているので、スコップで採取することができる。採取してから篩にかけ、大豆粒のものだけを図１に示すように充填する。この大きさのものだと通水能力に優れると共に容易にラジウムを放散してラジウム温泉化する。この風化した花崗岩の分析結果を次表１に示す。
【００１４】
【表１】
0003134615.tif 000003
上記表１から明らかなように、この風化した花崗岩は、微量のラジウムを含有している。またこの風化した花崗岩は、遠赤外線を発生することも実験により確認されている。
【００１５】
上記のようにして作った円盤状ラジウム温泉効能化器具を浴槽に沈めて、４２℃の浴温とした。この浴湯中の２２２Ｒｎ放射能濃度は、２．０×１０−７μci/cmであった。この風化した花崗岩からは、ラドンガス以外に生体深部に到達して温熱効果のある遠赤外線等が放出されているので、本考案の器具を浴槽内で身体の各部にあてがうことにより、ラジウム温泉の効果に加えて、温泉岩盤浴と同等の温熱効果が期待できる。
【図面の簡単な説明】
【００１６】
【図１】本考案のラジウム温泉効能化器具の製造方法を示す斜視図である。
【図２】本考案に使用するリング状縁ゴムの斜視図である。
【図３】本考案のラジウム温泉効能化器具の一実施例を示す断面図である。
【図１】
0003134615.tif 000004
【図２】
0003134615.tif 000005
【図３】
0003134615.tif 000006
【手続補正書】
【提出日】平成19年6月6日(2007.6.6)
【手続補正１】
【補正対象書類名】実用新案登録請求の範囲
【補正対象項目名】全文
【補正方法】変更
【補正の内容】
【実用新案登録請求の範囲】
【請求項１】
通水し得る容器内に、微量のラジウムを含む風化した粒状花崗岩を充填し、該容器の外周にリング状ゴムを嵌着したことを特徴とするラジウム温泉効能化器具。
【請求項２】
筒状熱可塑性樹脂の表裏面に、ステンレス製の網を溶着し、内部に前記微量のラジウムを含む風化した粒状花崗岩を充填し、前記筒状熱可塑性樹脂の外周にリング状ゴムを嵌着した請求項１記載の器具。
【請求項３】
前記ステンレス製の網は、５０〜２００メッシュの網目を有し、前記風化した粒状花崗岩は、これより大きな粒度を有する請求項２記載の器具。
【手続補正２】
【補正対象書類名】明細書
【補正対象項目名】０００７
【補正方法】変更
【補正の内容】
【０００７】
即ち本考案は、通水し得る容器内に、微量のラジウムを含む風化した粒状花崗岩を充填し、該容器の外周にリング状ゴムを嵌着したことを特徴とする。
筒状熱可塑性樹脂の表裏面に、ステンレス製の網を溶着し、内部に前記微量のラジウムを含む風化した粒状花崗岩を充填し、前記筒状熱可塑性樹脂の外周にリング状ゴムを嵌着するように構成するのが好ましい（請求項２）。
前記ステンレス製の網は、５０〜２００メッシュの網目を有し、前記風化した粒状花崗岩は、これより大きな粒度を有するのが好ましい（請求項３）。